(57)【要約】      （修正有）【課題】パケット長の制限の影響を受けないメッシュネットワークの信号伝送方法と、それに用いる遠隔制御システムを提供する。【解決手段】遠隔制御システムにおいて、メッシュネットワークの信号伝送方法は、設定プロセスの実行工程と、遠隔制御プロセスの実行工程とを含む。設定プロセスの実行工程は、第１制御コマンドをメッシュネットワーク制御装置にダウンロードし、複数の伝送コードに分割し、第１制御コマンドの一部である第２制御コマンドを保存し、メッシュネットワーク環境を経由して複数の伝送コードを赤外線制御装置に伝送し、複数の伝送コードを第１制御コマンドに還元し、第１制御コマンドを保存する各工程を含む。遠隔制御プロセスの実行工程は、第２制御コマンドを赤外線制御装置に送信し、赤外線制御装置に第２制御コマンドに基づいて第１制御コマンドに変換させ、第１制御コマンドが赤外線信号を利用して被制御装置を制御する各工程を含む。【選択図】図３
2020195130.tif 000002
【特許請求の範囲】
【請求項１】
メッシュネットワーク（Ｍｅｓｈ  Ｎｅｔｗｏｒｋ）の信号伝送方法であって、遠隔制御システムで被制御装置を制御するために用いられ、該遠隔制御システムが、メッシュネットワーク制御装置と、赤外線制御装置を含み、該方法が、設定プロセスの実行工程と、遠隔制御プロセスの実行工程を含み、
該設定プロセスの実行工程が、
第１制御コマンドを該メッシュネットワーク制御装置にダウンロードする工程と、
該第１制御コマンドを複数の伝送コードに分割する工程と、
該第１制御コマンドの一部である第２制御コマンドを保存する工程と、
メッシュネットワーク環境を経由して該複数の伝送コードを該赤外線制御装置に伝送する工程と、
該複数の伝送コードを該第１制御コマンドに還元し、該第１制御コマンドを保存する工程と、を含み、
該遠隔制御プロセスの実行工程が、
該第２制御コマンドを該赤外線制御装置に送信する工程と、
該赤外線制御装置に該第２制御コマンドに基づいて該第１制御コマンドに変換させる工程と、
該第１制御コマンドが赤外線信号を利用して該被制御装置を制御する工程と、
を含む、ことを特徴とする、メッシュネットワークの信号伝送方法。
【請求項２】
Ｗｉ−Ｆｉネットワーク環境を介して該第１制御コマンドを該メッシュネットワーク制御装置にダウンロードする工程を含む、ことを特徴とする、請求項１に記載のメッシュネットワークの信号伝送方法。
【請求項３】
前記第１制御コマンドが、ヘッダーコードと、ボディコードを含み、該方法がさらに、該ボディコードを分割した後、該ヘッダーコードと分割した該ボディコードを利用して該伝送コードを生成する工程を含む、ことを特徴とする、請求項１に記載のメッシュネットワークの信号伝送方法。
【請求項４】
前記第２制御コマンドが、該ヘッダーコードの一部を含むよう設定する工程を含む、ことを特徴とする、請求項３に記載のメッシュネットワークの信号伝送方法。
【請求項５】
前記第２制御コマンドを、まず別のメッシュネットワーク制御装置に伝送してから、該赤外線制御装置に伝送する工程を含む、ことを特徴とする、請求項１に記載のメッシュネットワークの信号伝送方法。
【請求項６】
前記第２制御コマンドを該別のメッシュネットワーク制御装置に保存する工程を含む、ことを特徴とする、請求項５に記載のメッシュネットワークの信号伝送方法。
【請求項７】
前記第２制御コマンドを、まず別の赤外線制御装置に伝送してから、該赤外線制御装置に伝送する工程を含む、ことを特徴とする、請求項１に記載のメッシュネットワークの信号伝送方法。
【請求項８】
前記第１制御コマンドを該別の赤外線制御装置に保存する工程を含む、ことを特徴とする、請求項７に記載のメッシュネットワークの信号伝送方法。
【請求項９】
遠隔制御システムであって、メッシュネットワーク環境内で被制御装置を制御するために用いられ、該遠隔制御システムが、メッシュネットワーク制御装置と、赤外線制御装置を含み、
該メッシュネットワーク制御装置が、
第１制御コマンドのダウンロードに用いられる第１伝送モジュールと、
該第１伝送モジュールに電気的に接続され、該第１制御コマンドの第２制御コマンドへの変換と、複数の伝送コードへの分割に用いられる第１処理モジュールと、
該第１処理モジュールに電気的に接続され、該第２制御コマンドの保存に用いられるメモリモジュールと、
該第１処理モジュールに電気的に接続され、該メッシュネットワーク環境を経由した該複数の伝送コードの伝送に用いられる第２伝送モジュールと、を含み、
該赤外線制御装置が、
該メッシュネットワーク環境の伝送を経由して該複数の伝送コードを受信するために用いられる第３伝送モジュールと、
該第３伝送モジュールに電気的に接続され、該複数の伝送コードを該第１制御コマンドに還元するために用いられる第２処理モジュールと、
該第２処理モジュールに電気的に接続され、該第１制御コマンドを保存するデータベースと、
該第２処理モジュールに電気的に接続された赤外線発射モジュールと、を含み、
該第２伝送モジュールから該第２制御コマンドが該第３伝送モジュールに伝送されると、該第２処理モジュールが該第２制御コマンドに基づき該データベースを検索して該第１制御コマンドに変換し、該第１制御コマンドが該赤外線発射モジュールを利用して赤外線信号を発射し、該被制御装置を制御する、ことを特徴とする、遠隔制御システム。
【請求項１０】
前記第１伝送モジュールが、Ｗｉ−Ｆｉ網路環境を介して該第１制御コマンドをダウンロードする、ことを特徴とする、請求項９に記載の遠隔制御システム。
【請求項１１】
前記第１制御コマンドが、ヘッダーコードと、ボディコードを含み、該第１処理モジュールが、該ボディコードを分割した後、該ヘッダーコードと分割した該ボディコードを利用して該伝送コードを生成する、ことを特徴とする、請求項９に記載の遠隔制御システム。
【請求項１２】
前記第１処理モジュールが、該第２制御コマンドが該ヘッダーコードの一部を含むよう設定することを特徴とする、請求項１１に記載の遠隔制御システム。
【請求項１３】
前記メッシュネットワーク制御装置と該赤外線制御装置の間が別のメッシュネットワーク制御装置に接続され、これにより該第２制御コマンドをまず該別のメッシュネットワーク制御装置に伝送してから、該赤外線制御装置に伝送する、ことを特徴とする、請求項１０に記載の遠隔制御システム。
【請求項１４】
前記第２制御コマンドを該別のメッシュネットワーク制御装置に保存することができる、ことを特徴とする、請求項１３に記載の遠隔制御システム。
【請求項１５】
前記メッシュネットワーク制御装置と該赤外線制御装置の間が別の赤外線制御装置に接続され、これにより該第２制御コマンドをまず該別の赤外線制御装置に伝送してから、該赤外線制御装置に伝送する、ことを特徴とする、請求項９に記載の遠隔制御システム。
【請求項１６】
前記第１制御コマンドを該別の赤外線制御装置に保存することができる、ことを特徴とする、請求項１５に記載の遠隔制御システム。
【発明の詳細な説明】
【技術分野】
【０００１】
本発明はメッシュネットワークの信号伝送方法とその遠隔制御システムに関し、特に、メッシュネットワークのパケット長の制限の影響を受けない、メッシュネットワークの信号伝送方法とその遠隔制御システムに関する。
【背景技術】
【０００２】
科学技術の進歩に伴い、さまざまなワイヤレスネットワークアプリケーションも続々と発展を遂げており、同時にワイヤレスネットワークアプリケーションは家庭用設備自動化の接続方式へも拡張されている。先行技術においては、従来の赤外線、Ｂｌｕｅｔｏｏｔｈ、またはＷｉ−Ｆｉ接続を利用して家庭用設備を制御することができる。しかしながら、赤外線、ＢｌｕｅｔｏｏｔｈまたはＷｉ−Ｆｉ接続で信号伝送を行うとき、一対一で家庭用設備を制御することしかできず、かつ伝送方向や距離にも制限があり、遠隔制御信号を距離が遠い設備に伝送することが難しい。
【０００３】
このため、新しいメッシュネットワークの信号伝送方法とその遠隔制御システムで先行技術の欠点を解決する必要がある。
【発明の概要】
【発明が解決しようとする課題】
【０００４】
本発明の主な目的は、メッシュネットワークのパケット長の制限の影響を受けない効果を備えた、メッシュネットワークの信号伝送方法を提供することにある。
【０００５】
本発明の別の主な目的は、上述の方法に用いる遠隔制御システムを提供することにある。
【課題を解決するための手段】
【０００６】
上述の目的を達成するため、本発明のメッシュネットワークの信号伝送方法は、遠隔制御システムで被制御装置を制御するために用いられ、該遠隔制御システムが、メッシュネットワーク制御装置と、赤外線制御装置を含む。該メッシュネットワークの信号伝送方法は、設定プロセスの実行工程と、遠隔制御プロセスの実行工程を含み、該設定プロセスの実行工程が、第１制御コマンドをメッシュネットワーク制御装置にダウンロードする工程と、該第１制御コマンドを複数の伝送コードに分割する工程と、第１制御コマンドの一部である第２制御コマンドを保存する工程と、メッシュネットワーク環境を経由して複数の伝送コードを赤外線制御装置に伝送する工程と、複数の伝送コードを第１制御コマンドに還元し、該第１制御コマンドを保存する工程と、を含み、該遠隔制御プロセスの実行工程が、第２制御コマンドを赤外線制御装置に送信する工程と、該赤外線制御装置に該第２制御コマンドに基づいて該第１制御コマンドに変換させる工程と、該第１制御コマンドが赤外線信号を利用して被制御装置を制御する工程と、を含む。
【０００７】
本発明の遠隔制御システムは、メッシュネットワーク制御装置及と、赤外線制御装置を含む。該メッシュネットワーク制御装置が、第１伝送モジュールと、第１処理モジュールと、メモリモジュールと、第２伝送モジュールを含む。該第１伝送モジュールが第１制御コマンドをダウンロードするために用いられる。該第１処理モジュールが該第１伝送モジュールに電気的に接続され、該第１制御コマンドを第２制御コマンドに変換し、複数の伝送コードに分割するために用いられる。該メモリモジュールが該第１処理モジュールに電気的に接続され、該第２制御コマンドを保存するために用いられる。該第２伝送モジュールが該第１処理モジュールに電気的に接続され、メッシュネットワーク環境を介して該複数の伝送コードを伝送するために用いられる。該赤外線制御装置は、第３伝送モジュールと、第２処理モジュールと、データベースと、赤外線発射モジュールを含む。該第３伝送モジュールがメッシュネットワーク環境の伝送を介して該複数の伝送コードを受信するために用いられる。第２処理モジュールが該第３伝送モジュールに電気的に接続され、該複数の伝送コードを第１制御コマンドに還元するために用いられる。該データベースが該第２処理モジュールに電気的に接続され、該第１制御コマンドを保存するために用いられる。該赤外線発射モジュールが該第２処理モジュールに電気的に接続され、該第２伝送モジュールが第２制御コマンドを第３伝送モジュールに送信すると、該第２処理モジュールが該第２制御コマンドに基づき該データベースを検索して第１制御コマンドに変換し、該第１制御コマンドが該赤外線発射モジュールを利用して赤外線信号を発射し、被制御装置を制御する。
【図面の簡単な説明】
【０００８】
【図１】本発明の遠隔制御システムの実施例１のシステムブロック図である。
【図２Ａ】本発明の第１制御コマンドと伝送コード間の関係を示す概略図である。
【図２Ｂ】本発明の第１制御コマンドと第２制御コマンド間の関係を示す概略図である。
【図３】本発明のメッシュネットワークの信号伝送方法における設定プロセスの実行工程を示すフローチャートである。
【図４】本発明のメッシュネットワークの信号伝送方法における遠隔制御プロセスの実行工程を示すフローチャートである。
【図５】本発明の遠隔制御システムの実施例２のシステムブロック図である。
【発明を実施するための形態】
【０００９】
以下、本発明の技術内容についてさらに理解を深められるように、特に具体的な実施例を挙げて説明する。
【実施例１】
【００１０】
図１に示す本発明の遠隔制御システムの実施例１のシステムブロック図を参照する。
【００１１】
本発明の遠隔制御システム１は、メッシュネットワーク環境内に用いられ、被制御装置２を制御するための制御コマンドを伝送し、最後に赤外線信号を利用して被制御装置２を制御する。被制御装置２は一般家庭用電器とすることができ、赤外線信号を受信可能な装置であればすべて本発明の保護範囲内にある。遠隔制御システム１はメッシュネットワーク制御装置１０と赤外線制御装置２０を含む。メッシュネットワーク制御装置１０はモバイルデバイスまたはゲートウェイ（Ｇａｔｅｗａｙ）デバイス等、メッシュネットワーク環境内に用いることができる装置とすることができ、本発明は上述の装置に限らない。
【００１２】
本発明の一実施例において、メッシュネットワーク制御装置１０は、第１伝送モジュール１１と、第１処理モジュール１２と、メモリモジュール１３と、第２伝送モジュール１４を含む。第１伝送モジュール１１はワイヤレス伝送機能を備え、クラウド３からＷｉ−Ｆｉネットワーク環境を介して第１制御コマンド３１をダウンロードすることができる。ここで図２Ａの本発明の第１制御コマンドと伝送コード間の関係を示す概略図も参照する。第１制御コマンド３１は、ヘッダーコード４１とボディコード４２の部分を含むことができ、ヘッダーコード４１の長さは１２バイトとすることができ、その内容は、例えば電器番号、地区、家電タイプ、メーカー、コード番号、機能等、複数のカテゴリに分けることができる。ボディコード４２は、制御したい被制御装置２の制御コードの内容とすることができ、その長さは１００〜２００バイトの間とすることができるが、本発明は上述で列挙した数に限らない。
【００１３】
第１処理モジュール１２は該第１伝送モジュール１１に電気的に接続される。第１制御コマンド３１を受信した後、第１処理モジュール１２は該第１制御コマンド３１を複数の伝送コード５１、５２、５３、５４に分割するために用いられる。本発明の一実施例において、第１処理モジュール１２はボディコード４２を第１ボディコード４２ａ、第２ボディコード４２ｂ、第３ボディコード４２ｃ、第４ボディコード４２ｄの４組に分割する。元のボディコード４２の長さが１２８バイトであるとき、第１ボディコード４２ａ、第２ボディコード４２ｂ、第３ボディコード４２ｃ、第４ボディコード４２ｄはそれぞれ３２バイトであるが、本発明は上述の数値に限らない。続いて、第１処理モジュール１２がヘッダーコード４１を第１ボディコード４２ａ、第２ボディコード４２ｂ、第３ボディコード４２ｃ、第４ボディコード４２ｄとそれぞれ結合し、複数の伝送コード５１、５２、５３、５４を生成することができる。このため、この実施例において、各伝送コード５１、５２、５３、５４の長さは４４バイトであり、メッシュネットワーク環境下でのショートパケット伝送の要件に適合することができる。
【００１４】
続いて、図２Ｂの本発明の第１制御コマンドと第２制御コマンド間の関係を示す概略図を参照する。
【００１５】
かつ本発明の一実施例において、第１処理モジュール１２は第１制御コマンド３１内の電器番号及び機能コードを単独で取り出し、第２制御コマンド３２に変換するため、第２制御コマンド３２は第１制御コマンド３１の一部分である。第２制御コマンド３２の長さは５バイトとすることができるが、本発明はこれに限らない。メモリモジュール１３が該第１処理モジュール１２に電気的に接続され、該第２制御コマンド３２を保存するために用いられる。第２伝送モジュール１４は該処理モジュールに電気的に接続される。第２伝送モジュール１４は同様にワイヤレス伝送機能を備えているが、第１伝送モジュール１１と異なるのは第２伝送モジュール１４がメッシュネットワーク環境内で用いられることである。このため、第２伝送モジュール１４はメッシュネットワーク環境を介して該複数の伝送コード５１、５２、５３、５４を赤外線制御装置２０に伝送する。
【００１６】
赤外線制御装置２０は、第３伝送モジュール２１と、第２処理モジュール２２と、データベース２３と、赤外線発射モジュール２４を含む。第３伝送モジュール２１は該メッシュネットワーク環境の伝送を介して第２伝送モジュール１４から伝送されてくる該複数の伝送コード５１、５２、５３、５４を受信するために用いられる。第２処理モジュール２２は該第３伝送モジュール２１に電気的に接続される。第３伝送モジュール２１が複数の伝送コード５１、５２、５３、５４を受信した後、第２処理モジュール２２が該複数の伝送コード５１、５２、５３、５４を該第１制御コマンド３１に還元するために用いられる。つまり、４組の第１ボディコード４２ａ、第２ボディコード４２ｂ、第３ボディコード４２ｃ、第４ボディコード４２ｄを合併した後、元のボディコード４２とし、ヘッダーコード４１を加えた後、該第１制御コマンド３１に還元することができる。
【００１７】
データベース２３は該第２処理モジュール２２に電気的に接続される。第２処理モジュール２２が第１制御コマンド３１に還元した後、データベース２３が第１制御コマンド３１を保存する。このとき、メッシュネットワーク制御装置１０は同一の電器のその他制御コマンドまたはその他電器の制御コマンドの伝送を継続することができ、データベース２３にすべての制御コマンドを保存させることができる。
【００１８】
赤外線発射モジュール２４は該第２処理モジュール２２に電気的に接続される。使用者が被制御装置２を制御したいとき、メッシュネットワーク制御装置１０を操作して、第２伝送モジュール１４に第２制御コマンド３２を送信させることができる。例えば、テレビの電源を入れたいとき、メッシュネットワーク制御装置１０がメッシュネットワークを介してテレビの電源オン機能を表す第２制御コマンド３２を赤外線制御装置２０の第３伝送モジュール２１に送信する。このとき、該第２処理モジュール２２が該第２制御コマンド３２に基づいて該データベース２３を検索し、短い第２制御コマンド３２を長い第１制御コマンド３１に変換する。続いて、該第１制御コマンド３１中のボディコード４２部分を該赤外線発射モジュール２４により赤外線信号として発射する。これにより、メッシュネットワーク制御装置１０がショートパケットの第２制御コマンド３２を送信した後、赤外線発射モジュール２４は第１制御コマンド３１中のボディコード４２を利用して該被制御装置２を制御することができ、メッシュネットワーク環境下でのショートパケット伝送の要件に適合することができる。
【００１９】
注意が必要なのは、メッシュネットワーク制御装置１０及び赤外線制御装置２０が具備する各モジュールが、ハードウェアデバイス、ソフトウェアプログラムとハードウェアデバイスの組み合わせ、ファームウェアとハードウェアデバイスの組み合わせ等の方法で構築することができる点であり、例えばコンピュータープログラム製品をコンピューターで読み取り可能なメディアに保存し、読み取って実行することで本発明のメッシュネットワーク制御装置１０の各機能を達成することができるが、本発明は上述の方法に限らない。このほか、本実施方式は本発明の好ましい実施例を例示したまでであり、説明を簡素化するため、すべての可能な変化の組み合わせを詳細に記載してはいない。しかしながら、発明が属する分野において通常の知識を有する者であれば、上述の各モジュールまたは部材が必ずしもすべて必要とは限らないことが理解できるであろう。かつ本発明を実施するために、その他より細かい従来のモジュールまたは部材を含む可能性もある。各モジュールまたは部材はいずれも必要に応じて省略または変更でき、かつ任意の２つのモジュール間にその他モジュールまたは部材が存在しないとも限らない。
【００２０】
続いて、図３の本発明のメッシュネットワークの信号伝送方法における設定プロセスの実行工程を示すフローチャート及び図４の本発明のメッシュネットワークの信号伝送方法における遠隔制御プロセスの実行工程を示すフローチャートを順に参照する。ここで注意すべきは、以下で上述の遠隔制御システム１を例として本発明のメッシュネットワークの信号伝送方法を説明するが、本発明のメッシュネットワークの信号伝送方法は上述と同じ構造の遠隔制御システム１での使用に限らない点である。
【００２１】
本発明のメッシュネットワークの信号伝送方法は、まず設定工程を行う。即ち、メッシュネットワーク制御装置１０ではまず、第１制御コマンドを該メッシュネットワーク制御装置にダウンロードする工程Ｓ３０１を行う。
【００２２】
メッシュネットワーク制御装置１０の第１伝送モジュール１１はワイヤレス伝送機能を備え、クラウド３からＷｉ−Ｆｉネットワーク環境を介して第１制御コマンド３１をダウンロードすることができる。
【００２３】
次に、該第１制御コマンドを複数の伝送コードに分割する工程Ｓ３０２を行う。
【００２４】
第１制御コマンド３１を受信した後、第１処理モジュール１２は該第１制御コマンド３１を複数の伝送コード５１、５２、５３、５４に分割するために用いられる。本発明の一実施例において、第１処理モジュール１２はボディコード４２を４組に分割する。第１処理モジュール１２はヘッダーコード４１を分割されたボディコード４２とそれぞれ結合し、複数の伝送コード５１、５２、５３、５４を生成する。
【００２５】
さらに、第２制御コマンドを保存する工程Ｓ３０３を行う。
【００２６】
このとき、第１処理モジュール１２は第１制御コマンド３１内の一部を第２制御コマンド３２に変換する。
【００２７】
さらに、該複数の伝送コードを伝送する工程Ｓ３０４を行う。
【００２８】
このとき、第２伝送モジュール１４はメッシュネットワーク環境を介して該複数の伝送コード５１、５２、５３、５４を赤外線制御装置２０に伝送する。
【００２９】
一方、赤外線制御装置２０では、該複数の伝送コードを受信する工程Ｓ３０５を行う。
【００３０】
赤外線制御装置２０の第３伝送モジュール２１は該メッシュネットワーク環境の伝送を介して第２伝送モジュール１４から伝送されてくる該複数の伝送コード５１、５２、５３、５４を受信するために用いられる。
【００３１】
さらに、該複数の伝送コードを該第１制御コマンドに還元する工程Ｓ３０６を行う。
【００３２】
第３伝送モジュール２１が複数の伝送コード５１、５２、５３、５４を受信した後、第２処理モジュール２２が該複数の伝送コード５１、５２、５３、５４を該第１制御コマンド３１に還元するために用いられる。つまり、４組の分割されたボディコード４２を合併した後、元のボディコード４２となり、ヘッダーコード４１を加えた後、該第１制御コマンド３１に還元することができる。
【００３３】
最後に、該第１制御コマンドを保存する工程Ｓ３０７を行う。
【００３４】
最後にデータベース２３が第１制御コマンド３１を保存する。上述の工程Ｓ３０１から工程Ｓ３０７を継続し、データベース２３は被制御装置２のすべての制御コマンドを保存することができる。
【００３５】
続いて、図４の本発明のメッシュネットワークの信号伝送方法における遠隔制御プロセスの実行工程を示すフローチャートを参照する。
【００３６】
被制御装置２の制御を行うときは、まず、該第２制御コマンドを伝送する工程Ｓ４０１を行う。
【００３７】
使用者はこのときメッシュネットワーク制御装置１０を操作して、第２伝送モジュール１４に第２制御コマンド３２を送信させることができる。
【００３８】
赤外線制御装置２０は、該第２制御コマンドを受信する工程Ｓ４０２を行う。
【００３９】
赤外線制御装置２０の第３伝送モジュール２１がメッシュネットワーク制御装置１０から伝送されてくる第２制御コマンド３２を受信する。
【００４０】
さらに、該第２制御コマンドに基づいて該第１制御コマンドに変換する工程Ｓ４０３を行う。
【００４１】
第２処理モジュール２２が該第２制御コマンド３２に基づいて該データベース２３を検索し、短い第２制御コマンド３２を長い第１制御コマンド３１に変換する。
【００４２】
最後に、該第１制御コマンドが赤外線信号を利用して該被制御装置を制御する工程Ｓ４０４を行う。
【００４３】
最後に、該第１制御コマンド３１中のボディコード４２部分を該赤外線発射モジュール２４により赤外線信号として発射する。これにより、第１制御コマンド３１中のボディコード４２を利用して該被制御装置２を制御することができる。
【００４４】
ここで注意が必要なのは、本発明のメッシュネットワークの信号伝送方法における設定プロセスの実行工程及び遠隔制御プロセスの実行工程は上述の工程順序に限らず、本発明の目的を達成できさえすれば、上述の工程順序は変えられる点である。
【実施例２】
【００４５】
最後に、図５に示す本発明の遠隔制御システムの実施例２のシステムブロック図を参照する。
【００４６】
本発明の実施例２において、遠隔制御システム１’の該メッシュネットワーク制御装置１０と該赤外線制御装置２０の間は別のメッシュネットワーク制御装置１０’に接続される。別のメッシュネットワーク制御装置１０’とメッシュネットワーク制御装置１０は同じ、または異なる装置とすることができるが、いずれもメッシュネットワーク環境下で信号を伝送する機能を有する。これにより、メッシュネットワーク制御装置１０は先に該第２制御コマンド３２を別のメッシュネットワーク制御装置１０’に伝送することができ、その伝送方法は、Ｂｌｕｅｔｏｏｔｈ、Ｗｉ−Ｆｉ、またはバーコードスキャンの方法としてもよく、メッシュネットワークの利用に限定されない。続いて、メッシュネットワーク制御装置１０’からメッシュネットワークを利用して該赤外線制御装置２０に伝送する。また、該メッシュネットワーク制御装置１０と該赤外線制御装置２０の間はさらに別の赤外線制御装置２０’に接続することもできる。赤外線制御装置２０及び別の赤外線制御装置２０’はいずれもメッシュネットワーク環境下で信号を伝送する機能を有し、また赤外線信号を発射する機能を有する。これにより、メッシュネットワーク制御装置１０はまずメッシュネットワークを利用して第２制御コマンドを該別の赤外線制御装置２０’に伝送し、さらにメッシュネットワークを利用して該赤外線制御装置２０に伝送することができる。かつメッシュネットワーク制御装置１０の設定する第２制御コマンド３２は別のメッシュネットワーク制御装置１０’に保存することもでき、第１制御コマンド３１は別の赤外線制御装置２０’に保存することもできる。上述の異なる装置間の信号伝送により、被制御装置２を遠隔制御できる距離を延長することができる。
【００４７】
本発明のメッシュネットワークの信号伝送方法及び遠隔制御システム１により、メッシュネットワークの環境を利用して遠方の被制御装置２を遠隔制御でき、メッシュネットワークのパケット長の制限による影響を受けることがない。
【００４８】
上述をまとめると、本発明はその目的、手段及び効果のいずれも従来技術と異なる特徴を示しており、審査官にはご明察の上、早期に特許を批准していただき、社会に恩恵をもたらせるよう願うものである。上述の実施例は単に説明の利便性のために例を挙げたまでであり、本発明の主張する権利範囲は特許請求の範囲に準じ、上述の実施例に限らないことに注意すべきである。
【符号の説明】
【００４９】
１、１’  遠隔制御システム
２  被制御装置
３  クラウド
１０  メッシュネットワーク制御装置
１０’  別のメッシュネットワーク制御装置
１１  第１伝送モジュール
１２  第１処理モジュール
１３  メモリモジュール
１４  第２伝送モジュール
２０  赤外線制御装置
２０’  別の赤外線制御装置
２１  第３伝送モジュール
２２  第２処理モジュール
２３  データベース
２４  赤外線発射モジュール
３１  第１制御コマンド
３２  第２制御コマンド
４１  ヘッダーコード
４２  ボディコード
４２ａ  第１ボディコード
４２ｂ  第２ボディコード
４２ｃ  第３ボディコード
４２ｄ  第４ボディコード
５１、５２、５３、５４  伝送コード
【図１】
2020195130.tif 000003
【図２Ａ】
2020195130.tif 000004
【図２Ｂ】
2020195130.tif 000005
【図３】
2020195130.tif 000006
【図４】
2020195130.tif 000007
【図５】
2020195130.tif 000008